(57)【要約】    【課題】  キーマクロ機能の利便性を向上させることができる画像形成装置、その制御方法、並びにプログラム及び記憶媒体を提供する。    【解決手段】  ＭＦＰ１０１は、ＭＦＰ１０１が印刷した用紙にファイリング用の穴を開けるパンチャユニット１０２と、ＭＦＰ１０１が印刷した用紙を部単位又はページ単位で各トレイに排出すると共にステイプル処理を行うフィニッシャ１０３とを備え、ＭＦＰ１０４は、フィニッシャ１０３と同様のフィニッシャ１０５を備え、ＭＦＰ１０１，１０４は、夫々操作部２００を備える。操作部２００は、ＭＦＰ１０１の機能をメニュー化して表示する液晶表示部２１１を備え、液晶表示部２１１は、初期状態において、キーマクロの登録及び呼出しを行うマクロモードに移行するマクロキー２２０を表示する。実行不可能なキーマクロがあると共に、簡易に復帰可能な原因で実行不可能であるときは、マクロ呼出しキー６０１ａを斜線表示する。【選択図】      図３
2006059274.tif 000002
【特許請求の範囲】
【請求項１】
複数の操作情報を夫々入力する複数の操作キーと、前記入力された複数の操作情報をキーマクロとして前記操作キーの１つに対応させて登録するキーマクロ登録手段とを備える画像形成装置において、前記登録されたキーマクロを実行する前に、前記登録されたキーマクロが実行可能であるか否かを検出する検出手段を備えることを特徴とする画像形成装置。
【請求項２】
前記登録されたキーマクロに対応する操作キーの１つを表示する表示部を備え、前記表示部は、前記登録されたキーマクロが実行不可能であるときは、前記実行不可能なキーマクロに対応する操作キーの１つの表示を変更することを特徴とする請求項１記載の画像形成装置。
【請求項３】
前記表示部は、前記登録されたキーマクロが実行不可能であるときは、前記登録されたキーマクロが、簡易に解消可能な原因で実行不可能であるか否かに基づいて前記登録されたキーマクロに対応する操作キーの１つの表示を変更することを特徴とする請求項２記載の画像形成装置。
【請求項４】
前記表示部は、前記登録されたキーマクロが実行不可能であるときは、前記登録されたキーマクロが実行不可能である理由を表示することを特徴とする請求項２又は３記載の画像形成装置。
【請求項５】
複数の操作情報を夫々入力する複数の操作キーによって入力された複数の操作情報をキーマクロとして前記操作キーの１つに対応させて登録するキーマクロ登録ステップを備える画像形成装置の制御方法において、前記登録されたキーマクロを実行する前に、前記登録されたキーマクロが実行可能であるか否かを検出する検出ステップを備えることを特徴とする画像形成装置の制御方法。
【請求項６】
前記登録されたキーマクロに対応する操作キーの１つを表示する表示ステップを備え、前記表示ステップは、前記登録されたキーマクロが実行不可能であるときは、前記実行不可能なキーマクロに対応する操作キーの１つの表示を変更することを特徴とする請求項５記載の画像形成装置の制御方法。
【請求項７】
前記表示ステップは、前記登録されたキーマクロが実行不可能であるときは、前記登録されたキーマクロが、簡易に解消可能な原因で実行不可能であるか否かに基づいて前記登録されたキーマクロに対応する操作キーの１つの表示を変更することを特徴とする請求項６記載の画像形成装置の制御方法。
【請求項８】
前記表示ステップは、前記登録されたキーマクロが実行不可能であるときは、前記登録されたキーマクロが実行不可能である理由を表示することを特徴とする請求項６又は７記載の画像形成装置の制御方法。
【請求項９】
複数の操作情報を夫々入力する複数の操作キーによって入力された複数の操作情報をキーマクロとして前記操作キーの１つに対応させて登録するキーマクロ登録モジュールを備える画像形成装置の制御プログラムにおいて、前記登録されたキーマクロを実行する前に、前記登録されたキーマクロが実行可能であるか否かを検出する検出モジュールを備えることを特徴とするプログラム。
【請求項１０】
請求項９記載のプログラムを格納することを特徴とするコンピュータ読取り可能な記憶媒体。
【発明の詳細な説明】
【技術分野】
【０００１】
本発明は、画像形成装置、その制御方法、並びにプログラム及び記憶媒体に関し、特に、各種設定によって所望の印刷物を出力する画像形成装置、その制御方法、並びにプログラム及び記憶媒体に関する。
【背景技術】
【０００２】
従来のマルチファンクションプリンタ（以下「ＭＦＰ」という）は、コピー機能に加えて、プリンタ機能、ＦＡＸ送受信機能、スキャン画像の送受信機能、及び電子メール送受信機能等を１台で備え、オフィスワークの効率を向上させている。
【０００３】
このＭＦＰは、より一層のオフィスワークの効率化を図るべく更なる多機能化が進んでおり、これに伴ってＭＦＰの利用者がＭＦＰの操作部で設定しなければならない項目が増大している。そのため、ユーザが行なった操作を記録し、その記録内容を１つの操作キーに割り付けるキーマクロ機能により、その操作性を向上させている。
【０００４】
キーマクロ機能を備えるＭＦＰは、操作キーが押下されたときに発生するキーコードを用いて、連続して押下された操作キーの種類と順番をキーマクロとして登録し、このキーマクロに対応する呼出しキーが押下されたときにこのキーマクロを実行するものや（例えば、特許文献１参照）、実際の実行時と同じ状態で実行しながらキーマクロを登録することによって、キーマクロの登録ミスを防止するものがある（例えば、特許文献２参照）。
【特許文献１】特開平５−２４６１１１号公報
【特許文献２】特開平８−３２９３３８号公報
【発明の開示】
【発明が解決しようとする課題】
【０００５】
しかしながら、従来のＭＦＰが備えるキーマクロ機能は、正常に登録されたキーマクロが実行時にエラーとなることは考慮されていない。そのため、ＭＦＰのように消耗品を用いる装置においてキーマクロを実行させる場合は、登録されたキーマクロが、当該キーマクロ登録時には、実行可能であっても、処理に必要な消耗品が無くなっているときには、実行不可能となることがある。実行不可能となる場合は、キーマクロは、途中まで処理を行うが、消耗品を用いた処理を行う段階になって初めてエラーが発生し、処理が中断する。
【０００６】
また、ＦＡＸ送信、電子メール送受信、ＬＡＮ及びインターネット経由でのデータの送受信等、機器外部のリソースを使用するキーマクロを実行させる場合は、登録されたキーマクロが当該キーマクロ登録時には、実行可能であっても、必要な機器外部リソースが動作していないときには、実行不可能となることがある。実行不可能となる場合は、キーマクロは、途中まで処理を行うが、外部リソースを用いた処理を行う段階になって初めてエラーが発生し、処理が中断する。
【０００７】
さらに、複数のＭＦＰを使用している場合に、１つのＭＦＰで登録されたキーマクロを他のＭＦＰにおいて実行させるとき、そのキーマクロを登録したＭＦＰだけに追加されたオプションを使用した処理が含まれていると、キーマクロは、途中まで処理を行うが、オプションを使用した処理の段階になって初めてエラーが発生し処理が中断してしまうことになる。
【０００８】
本発明の目的は、キーマクロ機能の利便性を向上させることができる画像形成装置、その制御方法、並びにプログラム及び記憶媒体を提供することにある。
【課題を解決するための手段】
【０００９】
上記目的を達成するために、請求項１記載の画像形成装置は、複数の操作情報を夫々入力する複数の操作キーと、前記入力された複数の操作情報をキーマクロとして前記操作キーの１つに対応させて登録するキーマクロ登録手段とを備える画像形成装置において、前記登録されたキーマクロを実行する前に、前記登録されたキーマクロが実行可能であるか否かを検出する検出手段を備えることを特徴とする。
【００１０】
請求項２記載の画像形成装置は、請求項１記載の画像形成装置において、前記登録されたキーマクロに対応する操作キーの１つを表示する表示部を備え、前記表示部は、前記登録されたキーマクロが実行不可能であるときは、前記実行不可能なキーマクロに対応する操作キーの１つの表示を変更することを特徴とする。
【００１１】
請求項３記載の画像形成装置は、請求項２記載の画像形成装置において、前記表示部は、前記登録されたキーマクロが実行不可能であるときは、前記登録されたキーマクロが、簡易に解消可能な原因で実行不可能であるか否かに基づいて前記登録されたキーマクロに対応する操作キーの１つの表示を変更することを特徴とする。
【００１２】
請求項４記載の画像形成装置は、請求項２又は３記載の画像形成装置において、前記表示部は、前記登録されたキーマクロが実行不可能であるときは、前記登録されたキーマクロが実行不可能である理由を表示することを特徴とする。
【００１３】
上記目的を達成するために、請求項５記載の制御方法は、複数の操作情報を夫々入力する複数の操作キーによって入力された複数の操作情報をキーマクロとして前記操作キーの１つに対応させて登録するキーマクロ登録ステップを備える画像形成装置の制御方法において、前記登録されたキーマクロを実行する前に、前記登録されたキーマクロが実行可能であるか否かを検出する検出ステップを備えることを特徴とする。
【００１４】
請求項６記載の制御方法は、請求項５記載の制御方法において、前記登録されたキーマクロに対応する操作キーの１つを表示する表示ステップを備え、前記表示ステップは、前記登録されたキーマクロが実行不可能であるときは、前記実行不可能なキーマクロに対応する操作キーの１つの表示を変更することを特徴とする。
【００１５】
請求項７記載の制御方法は、請求項６記載の制御方法において、前記表示ステップは、前記登録されたキーマクロが実行不可能であるときは、前記登録されたキーマクロが、簡易に解消可能な原因で実行不可能であるか否かに基づいて前記登録されたキーマクロに対応する操作キーの１つの表示を変更することを特徴とする。
【００１６】
請求項８記載の制御方法は、請求項６又は７記載の制御方法において、前記表示ステップは、前記登録されたキーマクロが実行不可能であるときは、前記登録されたキーマクロが実行不可能である理由を表示することを特徴とする。
【００１７】
上記目的を達成するために、請求項９記載のプログラムは、複数の操作情報を夫々入力する複数の操作キーによって入力された複数の操作情報をキーマクロとして前記操作キーの１つに対応させて登録するキーマクロ登録モジュールを備える画像形成装置の制御プログラムにおいて、前記登録されたキーマクロを実行する前に、前記登録されたキーマクロが実行可能であるか否かを検出する検出モジュールを備えることを特徴とする。
【００１８】
上記目的を達成するために、請求項１０記載の記憶媒体は、請求項９記載のプログラムを格納することを特徴とする。
【発明の効果】
【００１９】
請求項１記載の画像形成装置、請求項５記載の制御方法、並びに請求項９記載のプログラム及び請求項１０記載の記憶媒体によれば、登録されたキーマクロを実行する前に、登録されたキーマクロが実行可能であるか否かを検出するので、エラーの発生を回避することができ、もってキーマクロ機能の利便性を向上させることができる。
【００２０】
請求項２記載の画像形成装置及び請求項６記載の制御方法によれば、表示部は、登録されたキーマクロが実行不可能であるときは、実行不可能なキーマクロに対応する操作キーの１つの表示を変更するので、使用者に実行不可能なキーマクロを予め分かりやく伝えることができ、もってキーマクロ機能の利便性をより向上させることができる。
【００２１】
請求項３記載の画像形成装置及び請求項７記載の制御方法によれば、登録されたキーマクロが実行不可能であるときは、登録されたキーマクロが、簡易に解消可能な原因で実行不可能であるか否かに基づいて登録されたキーマクロに対応する操作キーの１つの表示を変更するので、使用者に実行不可能なキーマクロの実行不可能な理由を分かりやすく伝えることができ、もってキーマクロ機能の利便性をさらに向上させることができる。
【００２２】
請求項４記載の画像形成装置及び請求項８記載の制御方法によれば、登録されたキーマクロが実行不可能であるときは、登録されたキーマクロが実行不可能である理由を表示するので、キーマクロ機能の利便性をさらに一層向上させることができる。
【発明を実施するための最良の形態】
【００２３】
以下、本発明の実施の形態を図面を用いて詳述する。
【００２４】
図１は、本発明の実施の形態に係る画像形成装置を備えるシステムの構成を概略的に示すブロック図である。
【００２５】
図１において、マルチファンクションプリンタ（以下「ＭＦＰ」という）システム１００は、画像形成装置としてのＭＦＰ１０１，１０４と、ファイルサーバ１０６と、パーソナルコンピュータ１０７とを備え、これらは、ローカルエリアネットワーク（以下「ＬＡＮ」という）１０８を介して夫々接続されている。ＬＡＮ１０８は、ゲートウェイ（不図示）を介して、インターネットに接続されている。
【００２６】
ＭＦＰ１０１は、ＭＦＰ１０１が印刷した用紙にファイリング用の穴を開けるパンチャユニット１０２と、ＭＦＰ１０１が印刷した用紙を部単位又はページ単位で各トレイに排出すると共にステイプル処理を行うフィニッシャ１０３とを備え、ＭＦＰ１０４は、フィニッシャ１０３と同様のフィニッシャ１０５を備え、ＭＦＰ１０１，１０４は、夫々後述する図２の操作部を備える。
【００２７】
また、ファイルサーバ１０６及びパーソナルコンピュータ１０７は、ＭＦＰ１０１，１０４を、プリンタ又はスキャナとして使用することができる。
【００２８】
図２は、図１のＭＦＰ１０１における操作部の構成を概略的に示す図である。
【００２９】
図２において、操作部２００は、電源をＯＮ／ＯＦＦする電源キー２０１と、低消費電力モードに移行する節電キー２０２と、ジョブを開始するスタートキー２０３と、実行中のジョブを停止するストップキー２０４と、ジョブにおける数値パラメータ、例えばコピーの部数等を入力するテンキー２０５と、入力されたパラメータをクリアするクリアキー２０６と、ＭＦＰ１０１を使用可能な使用者を制限するための暗証番号を入力するモードに移行する暗証キー２０７と、設定された値及びパラメータを初期状態にリセットするリセットキー２０８と、操作説明を行うガイドモードに移行するガイドキー２０９と、個別設定を行うユーザモードキー２１０と、ＭＦＰ１０１の機能をメニュー化して表示する液晶表示部２１１（表示部）とを備える。
【００３０】
液晶表示部２１１は、初期状態において、コピーの設定を行うコピーモードキー２１２と、スキャンした画像データを電子メール又はＦＡＸで送信するときの設定を行う送信／ＦＡＸモードキー２１３と、ＭＦＰ１０１が備えるハードディスク（不図示）にスキャンした画像データを保存又は予め保存している画像データを呼出して印刷する設定を行うボックスモードキー２１４と、ＬＡＮ１０８を介してＭＦＰ１０１をスキャナとして使用する設定を行うリモートスキャナモードキー２１５と、ＭＦＰ１０１の状態、例えばコピーモード、コピー倍率、用紙サイズ、及びコピー部数等を表示する状態表示ウィンドウ２１６と、コピー倍率を等倍に設定する等倍キー２１７と、コピー倍率を予め決められた値（２５，５０，６１，７０，８１，８６，１１５，１２２，１４１，２００，４００％）のいずれかに設定する倍率キー２１８と、印刷する用紙サイズを設定する用紙選択キー２１９と、キーマクロの登録及び呼出しを行うマクロモードに移行するマクロキー２２０と、フィニッシャ１０３の各トレイに部単位でソートを行うかページ単位でソートを行うか等のソートの設定及びステイプル処理の有無等の設定を行うソータキー２２１と、両面印刷の設定を行う両面キー２２２と、印刷濃度を調整する濃度調節バー２２３と、２ページを１ページに縮小レイアウトする２ｉｎ１印刷、中折製本印刷、異なるサイズでのコピー指示、単色カラー印刷、画質調整、及びエリア指定印刷等の設定を行う応用モードキー２２４とを表示する。
【００３１】
また、液晶表示部２１１は、その表面に透明なタッチパネル（不図示）を備えており、タッチパネルは、液晶表示部２１１が表示したメニューやキーへの接触を検出して、ＭＦＰ１０１を操作する。
【００３２】
図３は、図１のＭＦＰ１０１によって実行されるマクロ呼出しキー表示制御処理の手順を示すフローチャートである。
【００３３】
図３において、マクロキー２２０が押下されると（ステップＳ３０１でＹＥＳ）、液晶表示部２１１は、マクロモードに移行すると共に、キーマクロを登録するマクロ登録モードキー４０１と、登録されているキーマクロを呼出すマクロ呼出しモードキー４０２と、マクロモードを終了する終了キー４０３とから成るマクロモードウィンドウ４００（図４）を表示し、マクロ呼出しモードキー４０２が押下されたか否かを判別し（ステップＳ３０２）、押下されたときは、登録されているキーマクロと、当該キーマクロの実行時に必要なリソースとが列記されたリソースリスト５００（図５）に基づいてＭＦＰ１０１のリソースをチェックする（ステップＳ３０３）（検出手段）。
【００３４】
ステップＳ３０３において、キーマクロ１に対しては、欄５０１に示す「Ａ４用紙」、「ステイプル」が使用可能であるか否かをチェックし、キーマクロ２に対しては、欄５０２に示す「ローカルエリアネットワーク」が使用可能であるか否かをチェックする。
【００３５】
続くステップＳ３０４では、ステップＳ３０３のチェックの結果に基づいて登録されているキーマクロが全て正常に実行できるか否かを判別し、全て正常に実行可能であるときは、液晶表示部２１１は、マクロ呼出しモードに移行すると共に、登録されている６つキーマクロに夫々対応するマクロ呼出しキー６０１ａ〜６０１ｆと、押下されたマクロ呼出しキー６０１ａ〜６０１ｆに対応するキーマクロを実行する実行キー６０２と、マクロ呼出しモードを終了する終了キー６０３とから成るマクロ呼出しウィンドウ６００（図６）を表示して（ステップＳ３０５）、本処理を終了する。
【００３６】
ステップＳ３０４の判別の結果、実行不可能なキーマクロがあるとき、例えば、ステイプルの針の不足が原因でキーマクロ１が実行不可能であるときは、簡易に解消可能な原因で実行不可能であるか否かを判別し（ステップＳ３０６）、ステイプルの針の不足のように簡易に解消可能な原因で実行不可能であるときは、液晶表示部２１１は、キーマクロ１が簡易に解消可能な原因で実行不可能であることを示すために、キーマクロ１に対応するマクロ呼出しキー６０１ａを斜線表示して（ステップＳ３０７）（図７）、マクロ呼出しキー６０１ａが押下されたか否かを判別し（ステップＳ３０９）、マクロ呼出しキー６０１ａが押下されたときは、液晶表示部２１１は、ステイプル針の補給によってキーマクロ１が実行可能となることを知らせるために、エラーの原因を示すメッセージ８００を表示して（ステップＳ３１０）（図８）、本処理を終了する。なお、簡易に解消不可能な原因で実行不可能なマクロ呼出しキー６０１ａ押下に伴い表示される図８の表示では、実行キー６０２の押下に応答してマクロの実行を開始するようにしても良い。
【００３７】
ステップＳ３０６の判別の結果、ネットワーク障害によって、ローカルネットワークが使用できないことが原因でキーマクロ２が実行不可能であるときのように簡易に解消不可能な原因で実行不可能であるときは、液晶表示部２１１は、キーマクロ２が簡易に解消不可能な原因で実行不可能であることを示すために、キーマクロ２に対応するマクロ呼出しキー６０１ｂをグレー表示して（ステップＳ３０８）（図９）、マクロ呼出しキー６０１ｂが押下されたか否かを判別し（ステップＳ３０９）、マクロ呼出しキー６０１ｂが押下されたときは、液晶表示部２１１は、図８と同様の表示において、「ネットワーク障害」と表示し、ネットワーク障害によりキーマクロ２は実行不可能であることを知らせ（ステップＳ３１０）、本処理を終了する。なお、簡易に解消不可能な原因で実行不可能なマクロ呼出しキー６０１ｂ押下に伴い表示される図８の表示では、実行キー６０２はグレーアウト表示するとともに、実行キー６０２を押下しても押下に応答しないようにしても良い。
【００３８】
また、ＭＦＰ１０１で登録され、パンチャユニット１０２をリソースとして使用する処理を含んでいるキーマクロが、ＭＦＰ１０４にコピーされた場合、ＭＦＰ１０４は、パンチャユニットを備えていないので、このキーマクロを実行するときにエラーが発生する。
【００３９】
しかしながら、ＭＦＰ１０４が、図３のマクロ呼出しキー表示制御処理を実行すれば、マクロの実行前にパンチャユニットが無いことを検出し、予め、実行不可能であることを使用者に知らせることができる。
【００４０】
図３の処理によれば、実行不可能なキーマクロがあると共に（ステップＳ３０４でＹＥＳ）、簡易に復帰可能な原因で実行不可能であるときは（ステップＳ３０６でＹＥＳ）、マクロ呼出しキー６０１ａを斜線表示する（ステップ３０７）ので、使用者は、登録されたキーマクロが実行可能かどうかを随時知ることができると共にキーマクロの実行中のエラーの発生を回避することができ、もって、キーマクロ機能の利便性を向上させることができる。
【００４１】
また、本実施の形態では、簡易に解消可能な原因で実行不可能であるキーマクロに対応するマクロ呼出しキーを斜線表示に、簡易に解消不可能な原因で実行不可能であるキーマクロに対応するマクロ呼出しキーをグレー表示にしたが、これに限らず、正常に実行可能であるときと、簡易に解消可能な原因で実行不可能であるときと、簡易に解消不可能な原因で実行不可能であるときとで、区別がつく表示であればよい。
【００４２】
さらに、本実施の形態では、液晶表示部２１１は、マクロキー２２０が押下され、マクロ呼出しモードキー４０２が押下された後にマクロ呼出しキー６０１を表示するが、図１０に示すように、液晶表示部２１１は、初期状態において、マクロ呼出しキー１１０ａ，１１０ｂを表示してもよい。
【００４３】
この場合、ＭＦＰ１０１が内蔵する内部タイマー等によって一定時間間隔でリソースチェックを行う。リソースチェックの結果、実行不可能なキーマクロがあるときは、マクロ呼出しキー１１０の表示を変更する。これにより、使用者は、登録されたキーマクロが実行可能かどうかを即座に知ることができると共にキーマクロの実行中のエラーの発生を回避することができ、もって、キーマクロ機能の利便性を向上させることができる。
【００４４】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００４５】
この場合、記憶媒体から読み出されたプログラムコード自体が前述した実施形態の機能を実現することになり、そのプログラムコードを記憶した記憶媒体は本発明を構成することになる。
【００４６】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００４７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４８】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００４９】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００５０】
【図１】本発明の実施の形態に係る画像形成装置を備えるシステムの構成を概略的に示すブロック図である。
【図２】図１のＭＦＰにおける操作部の構成を概略的に示す図である。
【図３】図１のＭＦＰによって実行されるマクロ呼出しキー表示制御処理の手順を示すフローチャートである。
【図４】図３のステップＳ３０２で表示されるマクロモードウィンドウを説明するのに用いられる図である。
【図５】図３におけるステップＳ３０３で用いられるリソースリストを説明するのに用いられる図である。
【図６】図３のステップＳ３０５で表示されるマクロ呼出しウィンドウを説明するのに用いられる図である。
【図７】図３のステップＳ３０７で表示されるマクロ呼出しウィンドウを説明するのに用いられる図である。
【図８】図３のステップＳ３１０で表示されるメッセージを説明するのに用いられる図である。
【図９】図３のステップＳ３０８で表示されるマクロ呼出しウィンドウを説明するのに用いられる図である。
【図１０】図２における液晶表示部の表示例を説明するのに用いられる図であり、初期状態でマクロ呼出しキーが表示されている場合を示す。
【符号の説明】
【００５１】
１００  ＭＦＰシステム
１０１  ＭＦＰ
１０２  パンチャユニット
１０３  フィニッシャ
１０４  ＭＦＰ
１０６  ファイルサーバ
１０７  パーソナルコンピュータ
２００  操作部
２１１  液晶表示部
２２０  マクロキー
４０２  マクロ呼出しモードキー
６０１  マクロ呼出しキー
【図１】
2006059274.tif 000003
【図２】
2006059274.tif 000004
【図３】
2006059274.tif 000005
【図４】
2006059274.tif 000006
【図５】
2006059274.tif 000007
【図６】
2006059274.tif 000008
【図７】
2006059274.tif 000009
【図８】
2006059274.tif 000010
【図９】
2006059274.tif 000011
【図１０】
2006059274.tif 000012